(57)【要約】【課題】新聞等に掲載する素材情報の編集作業を支援する素材情報検索表示装置を提供する。【解決手段】素材情報検索表示装置１０は、素材情報をバーコード情報とキーワード情報とに関連付けて記憶する素材情報記憶部１１と、バーコード６が印刷された素材モニタ５から、バーコード情報を読み取るバーコード読取部１３と、バーコード読取部１３により読み取られたバーコード情報に対応する素材情報を素材情報記憶部１１から検索する素材情報検索部１４と、素材情報検索部１４により検索された素材情報に関連するキーワード情報に関し、同一のキーワード情報が関連付けられた関連素材情報を素材情報記憶部１１から検索する関連素材情報検索部１５と、各検索部１４・１５により検索された素材情報及び関連素材情報を表示する表示部１６とを具備する。【選択図】      図１
2009301118.tif 000002
【特許請求の範囲】
【請求項１】
素材情報をバーコード情報と第１キーワード情報とに関連付けて記憶する素材情報記憶手段と、
バーコードが印刷された素材モニタから、バーコード情報を読み取るバーコード読取手段と、
前記バーコード読取手段により読み取られたバーコード情報に対応する素材情報を前記素材情報記憶手段から検索する素材情報検索手段と、
前記素材情報検索手段により検索された素材情報に関連する第１キーワード情報に関し、同一の第１キーワード情報が関連付けられた関連素材情報を前記素材情報記憶手段から検索する関連素材情報検索手段と、
前記各検索手段により検索された素材情報及び関連素材情報を表示する表示手段と、
を具備したことを特徴とする素材情報検索表示装置。
【請求項２】
請求項1に記載の素材情報検索表示装置において、
前記素材情報記憶手段は、前記素材情報に関連付けて第１キーワード情報と第２キーワード情報とを記憶しており、
前記素材情報検索手段により検索された素材情報に関連する第２キーワード情報に関し、同一の第２キーワード情報が関連付けられた素材情報を第２関連素材情報として前記素材情報記憶手段から検索する第２関連素材情報検索手段と、
前記各検索手段により検索された素材情報、関連素材情報、及び第２関連素材情報を表示する手段と、
を具備したことを特徴とする素材情報検索表示装置。
【請求項３】
コンピュータを、
バーコード情報と第１キーワード情報とに関連付けて素材情報を記憶する素材情報記憶手段、
バーコードが印刷された素材モニタから、バーコード情報を読み取るバーコード読取手段、
前記バーコード読取手段により読み取られたバーコード情報に対応する素材情報を前記素材情報記憶手段から検索する素材情報検索手段、
前記素材情報検索手段により検索された素材情報に関連する第１キーワード情報に関し、同一の第１キーワード情報が関連付けられた関連素材情報を前記素材情報記憶手段から検索する関連素材情報検索手段、
前記各検索手段により検索された素材情報及び関連素材情報を表示する表示手段、
として実現させるプログラム。
【請求項４】
請求項３に記載のプログラムにおいて、
前記コンピュータを、
前記素材情報記憶手段として、前記素材情報に関連付けて第１キーワード情報と第２キーワード情報とを記憶する手段、
前記素材情報検索手段により検索された素材情報に関連する第２キーワード情報に関し、同一の第２キーワード情報が関連付けられた素材情報を第２関連素材情報として前記素材情報記憶手段から検索する第２関連素材情報検索手段、
前記各検索手段により検索された素材情報、関連素材情報、及び第２関連素材情報を表示する手段、
として実現させるプログラム。
【発明の詳細な説明】
【技術分野】
【０００１】
本発明は、新聞等に掲載する素材情報の編集作業を支援する素材情報検索表示装置及びプログラムに関する。
【背景技術】
【０００２】
近年、新聞や雑誌の製作現場では以下の流れで校正・出稿の作業が行われることがある。
【０００３】
まず、編集者等が、記事や画像（以下、素材情報ともいう）が印刷された素材モニタを確認する。次に、紙面に採用することを決定した素材情報を素材モニタに印字されているバーコードをもとに検索する。素材情報が検索されると、素材情報の内容が表示装置の画面に表示される。それから、編集者等が、素材情報の内容が表示された編集画面にて校正・出稿の作業を行う。
【０００４】
また、近年では、新聞紙面に掲載する素材を作成した作成部門名がそれぞれ記載された出稿メモ情報に基づいて、素材の紙面への出稿計画を作成部門別に分類した出稿計画データを生成する新聞紙面の制作システム等も製作現場に導入されている（例えば特許文献1参照）。
【特許文献１】特開２００４−５１２３号公報
【発明の開示】
【発明が解決しようとする課題】
【０００５】
上述した新聞等の製作現場においては、素材情報を校正して完全原稿にする際、過去の事例等を参照しなければならないことが少なくない。
【０００６】
例えば、ある事件についての記事を作成する場合、事件前後の出来事について言及しなければならない場合がある。
【０００７】
一方、新聞等においては、記事にする素材情報が随時更新されるにもかかわらず、発行日時が決まっている。そのため、編集者等が校正時に過去の事例等を参照する余裕がないことがある。結果として、新聞等に掲載する内容に見落としが生じることもある。
【０００８】
本発明は上記実情に鑑みてなされたものであり、新聞等に掲載する素材情報の編集作業を支援する素材情報検索表示装置及びプログラムを提供することを目的とする。
【課題を解決するための手段】
【０００９】
本発明は上記課題を解決するために、素材情報をバーコード情報と第1キーワード情報とに関連付けて記憶する素材情報記憶手段と、バーコードが印刷された素材モニタから、バーコード情報を読み取るバーコード読取手段と、バーコード読取手段により読み取られたバーコード情報に対応する素材情報を素材情報記憶手段から検索する素材情報検索手段と、素材情報検索手段により検索された素材情報に関連する第１キーワード情報に関し、同一の第１キーワード情報が関連付けられた関連素材情報を素材情報記憶手段から検索する関連素材情報検索手段と、各検索手段により検索された素材情報及び関連素材情報を表示する表示手段と、を具備した素材情報検索表示装置を提供する。
【発明の効果】
【００１０】
本発明によれば、新聞等に掲載する素材情報の編集作業を支援する素材情報検索表示装置及びプログラムを提供することが可能となる。
【発明を実施するための最良の形態】
【００１１】
以下、図面を参照して本発明の実施形態を説明する。
【００１２】
＜第１の実施形態＞
（構成）
図１は本発明の第１の実施形態に係る素材情報検索表示装置１０の構成を示す模式図である。
【００１３】
素材情報検索表示装置１０は、素材情報記憶部１１・素材情報登録部１２・バーコード読取部１３・素材情報検索部１４・関連素材情報検索部１５・表示部１６を備えている。
【００１４】
なお、素材情報検索表示装置１０は、ハードウェア構成とソフトウェア構成との組合せにより実現可能である。ソフトウェア構成は、予めコンピュータ読み取り可能な記憶媒体またはネットワークから得られたプログラムがコンピュータにインストールされることにより、素材情報検索表示装置１０としての各機能を実現する。
【００１５】
素材情報記憶部１１は、図２に示すように、素材情報をバーコード情報とキーワード情報とに関連付けて記憶する記憶装置である。なお、バーコード情報の末尾の数字は、素材情報の内容が変更される度にインクリメントされる。
【００１６】
素材情報登録部１２は、素材情報記憶部１１に素材情報を登録するものである。具体的には、素材情報登録部１２は、素材情報を登録する時にバーコード情報を発番し、そのバーコード情報と素材情報とを関連付けて素材情報記憶部１１に書き込む。また、素材情報毎にキーワード情報を設定し、各素材情報に関連付けて登録する。
【００１７】
バーコード読取部１３は、図３に概念を示すように、バーコード６が印刷された素材モニタ５から、そのバーコード６を読み取るものである。ここでは、バーコードリーダ装置がバーコード６を読み取ると、読み取ったバーコード６が表示部１６に表示される。そして、バーコード入力画面にバーコードが反映された状態でＯＫボタンが押下されると、対応するバーコード情報が素材情報検索部１４や関連素材情報検索部１５に送出される。
【００１８】
素材情報検索部１４は、図４に概念を示すように、バーコード読取部１３により読み取られたバーコード情報に対応する素材情報を素材情報記憶部１１から検索するものである。例えば、図４においては、バーコード情報から“素材情報３”が検索されている。そして、素材情報３と、この素材情報３に関連付けられたキーワード情報である“道路財源”とのデータが関連素材情報検索部１５に送出される。
【００１９】
関連素材情報検索部１５は、図５に概念を示すように、素材情報検索部１４により検索された素材情報に関連するキーワード情報に関し、同一のキーワード情報が関連付けられた関連素材情報を素材情報記憶部１１から検索するものである。図５の例では、素材情報３と同様に道路財源をキーワード情報としている“素材情報１”及び“素材情報４”が検索される。そして、素材情報３と、素材情報1及び素材情報４と、これらのキーワード情報である道路財源とのデータが表示部１６に送出される。
【００２０】
表示部１６は、各検索部１４・１５により検索された素材情報及び関連素材情報を表示するものである。具体的には、表示部１６は、素材情報と関連素材情報との一覧を表示装置に表示する。
【００２１】
（動作）
次に本実施形態に係る素材情報検索表示装置１０の動作を図６のフローチャートを用いて説明する。
【００２２】
始めに、素材情報検索表示装置１０が編集者等により起動されると、バーコード読取画面が表示部１６に表示される。
【００２３】
続いて、編集者等の操作により素材モニタ５に印刷されたバーコード６がバーコード読取部１３を介して読み取られる（ステップＳ１）。
【００２４】
バーコード読取部１３によりバーコード６が素材モニタから読み取られると、対応するバーコード情報が表示部１６に表示される。
【００２５】
そして、表示部１６に表示されたバーコード入力画面にバーコード情報が反映された状態でＯＫボタンが押下されると、そのバーコード情報が素材情報検索部１４に送出される。
【００２６】
次に、素材情報検索部１４により、バーコード読取部１３により読み取られたバーコード情報に対応する素材情報が素材情報記憶部１１から読み出される（ステップＳ２）。続いて、その素材情報に関連付けられたキーワード情報が素材情報記憶部１１から読み出される（ステップＳ３）。そして、これらの情報が素材情報検索部１４から関連素材情報検索部１５に送出される。
【００２７】
続いて、関連素材情報検索部１５により、素材情報検索部１４により検索された素材情報に関連するキーワード情報に関し、同一のキーワード情報が関連付けられた関連素材情報が素材情報記憶部１１から読み出される（ステップＳ４）。そして、これらの情報が関連素材情報検索部１５から表示部１６に送出される。
【００２８】
表示部１６では、関連素材情報検索部１５から受け取った素材情報、関連素材情報及びキーワード情報が表示される（ステップＳ５）。
【００２９】
（効果）
以上説明したように、本実施形態に係る素材情報検索表示装置１０は、素材情報をバーコード情報とキーワード情報とに関連付けて記憶する素材情報記憶部１１と、バーコード６が印刷された素材モニタ５から、バーコード情報を読み取るバーコード読取部１３と、バーコード読取部１３により読み取られたバーコード情報に対応する素材情報を素材情報記憶部１１から検索する素材情報検索部１４と、素材情報検索部１４により検索された素材情報に関連するキーワード情報に関し、同一のキーワード情報が関連付けられた関連素材情報を素材情報記憶部１１から検索する関連素材情報検索部１５と、各検索部１４・１５により検索された素材情報及び関連素材情報を表示する表示部１６とを具備しており、素材情報を表示するのと同時に関連素材情報を表示するので、新聞等に掲載する素材情報の編集作業を支援することができる。
【００３０】
具体的には、素材情報検索表示装置１０を用いることにより、新聞紙面の製作基点である素材モニタをもとに関連した内容の素材情報を参照しながら原稿の作成が可能となり、新聞紙面の製作効率をより向上することが可能となる。
【００３１】
補足すると、図７（Ａ）に示すように、一般的な技術では、素材モニタ５に印刷されている素材情報をバーコード６で検索して編集画面を読み込んでいるだけであり、編集者等が素材情報に関連する関連素材情報を別途調査する必要がある。これに対し、本実施形態に係る素材情報検索表示装置１０では図７（Ｂ）に示すように、素材情報が関連素材情報と同時に表示されるので、編集者等が素材情報に関連する情報を調査する手間を省くことができる。また、素材情報検索表示装置１０は、迅速かつ適確に関連素材情報を表示するので、編集者が内容を見落とすことを防ぐことができる。結果として、記事の信憑性を高めることもできる。
【００３２】
（変形例）
なお、本実施形態の変形例に係る素材情報検索表示装置１０Ｓは、図８に示すように、クライアントサーバシステムの構成であってもよい。要するに、クライアント端末が、バーコード読取部１３や表示部１６の機能を有し、サーバ装置が素材情報記憶部１１・素材情報登録部１２・素材情報検索部１４・関連素材情報検索部１５の機能を有する構成であってもよい。
【００３３】
また、図９に示すように、他の変形例に係る素材情報検索表示装置１０Ｔは、素材情報記憶部１１が、素材情報に関連付けて前述のキーワード情報（以下、第１キーワード情報という）と第２キーワード情報とを記憶しており、関連素材情報検索部１５が、素材情報に関連する第２キーワード情報に関し、同一の第２キーワード情報が関連付けられた素材情報を素材情報記憶部１１から検索する第２関連素材情報検索部２１を備えていてもよい。これにより、図１０に示すように、関連素材Ｌ１に対する関連素材Ｌ２を表示することができる。なお、素材情報記憶部１１が素材情報に関連付けるキーワード情報を階層化することにより、関連素材情報をさらに階層化して表示することもできる。これにより、キーワード情報が予め設定されている素材情報を配信する情報配信会社が存する場合、自社の設定したキーワード情報を第１キーワード情報とし、情報配信会社が設定したキーワード情報を第２キーワード情報とするなどして利便性を向上することができる。
【００３４】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【００３５】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００３６】
また、この記憶媒体としては、プログラムを記憶でき、かつコンピュータが読み取り可能な記憶媒体であれば、その記憶形式は何れの形態であっても良い。
【００３７】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。
【００３８】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００３９】
また、記憶媒体は１つに限らず、複数の媒体から上記実施形態における処理が実行される場合も本発明における記憶媒体に含まれ、媒体構成は何れの構成であっても良い。
【００４０】
尚、本発明におけるコンピュータは、記憶媒体に記憶されたプログラムに基づき、上記実施形態における各処理を実行するものであって、パソコン等の１つからなる装置、複数の装置がネットワーク接続されたシステム等の何れの構成であっても良い。
【００４１】
また、本発明におけるコンピュータとは、パソコンに限らず、情報処理機器に含まれる演算処理装置、マイコン等も含み、プログラムによって本発明の機能を実現することが可能な機器、装置を総称している。
【図面の簡単な説明】
【００４２】
【図１】本発明の第１の実施形態に係る素材情報検索表示装置１０の構成を示す模式図である。
【図２】同実施形態に係る素材情報記憶部１１の構成を示す模式図である。
【図３】同実施形態に係るバーコード読取部１３の機能を説明するための模式図である。
【図４】同実施形態に係る素材情報検索部１４の機能を説明するための模式図である。
【図５】同実施形態に係る関連素材情報検索部１５の機能を説明するための模式図である。
【図６】同実施形態に係る素材情報検索表示装置１０の動作を説明するためのフローチャートである。
【図７】同実施形態に係る素材情報検索表示装置１０の効果を説明するための図である。
【図８】同実施形態に係る素材情報検索表示装置１０の変形例を示す模式図である。
【図９】同実施形態に係る素材情報検索表示装置１０の他の変形例を示す模式図である。
【図１０】同実施形態に係る素材情報検索表示装置１０の表示画像の一例を示す模式図である。
【符号の説明】
【００４３】
５・・・素材モニタ、６・・・バーコード、１０・・・素材情報検索表示装置、１１・・・素材情報記憶部、１２・・・素材情報登録部、１３・・・バーコード読取部、１４・・・素材情報検索部、１５・・・関連素材情報検索部、１６・・・表示部、２１・・・第２関連素材情報検索部。
【図１】
2009301118.tif 000003
【図２】
2009301118.tif 000004
【図３】
2009301118.tif 000005
【図４】
2009301118.tif 000006
【図５】
2009301118.tif 000007
【図６】
2009301118.tif 000008
【図７】
2009301118.tif 000009
【図８】
2009301118.tif 000010
【図９】
2009301118.tif 000011
【図１０】
2009301118.tif 000012